(57)【要約】【課題】  本発明によれば、複数種類の用紙への同一画像データの印刷処理時間を短縮することを可能とする画像出力装置等を提供する。【解決手段】  被写体１２１をデジタルカメラ等の撮像装置により撮像したり、原稿１２２をスキャナ装置等の原稿読取装置により読み取ったり、入力メディア１２３から取得した画像データを、利用者からの出力形態、枚数等の注文内容に応じて、標準紙用プリンタ装置及びシール紙用プリンタ装置に同時に画像データの信号を送信し、並列に印刷処理を行う。【選択図】  図１
2005186314.tif 000002
【特許請求の範囲】
【請求項１】
画像データを入力する入力手段と、
前記画像データを印刷出力する出力手段と、
を具備し、
前記出力手段は、
前記画像データの複数種類の用紙への印刷出力を行うことを特徴とする画像出力装置。
【請求項２】
前記出力手段は、前記画像データを複数種類の用紙に印刷出力する場合、当該複数印刷出力処理を並行に行うことを特徴とする請求項１記載の画像出力装置。
【請求項３】
前記入力手段は、記録媒体から前記画像データを読み取る記録媒体読取手段、原稿を走査して前記画像データを取得する原稿読取手段、被写体を撮像することにより前記画像データを得る撮像手段、のうちのいずれかであることを特徴とする請求項１記載の画像出力装置。
【請求項４】
入力された画像データ、予め保持する画像データのうち少なくともいずれかを用いて画像を加工し、新しい別の画像データを作成する画像加工手段、を更に具備することを特徴とする請求項１記載の画像出力装置。
【請求項５】
課金を行う課金手段、を更に具備することを特徴とする請求項１記載の画像出力装置。
【請求項６】
コンピュータを請求項１記載の画像出力装置として機能させることを特徴とするプログラム。
【請求項７】
コンピュータを請求項１記載の画像出力装置として機能させるプログラムを記録したことを特徴とする記録媒体。
【発明の詳細な説明】
【技術分野】
【０００１】
本発明は、デジタルカメラで撮影した画像、スキャナで読み込んだ画像、持参した記録メディアに記録されている画像データ、装置に予め保存してある画像等を複数のプリンタで同時にプリントする画像出力装置等に関する。
【背景技術】
【０００２】
従来、店舗内や街頭に設置することが可能であり、デジタルカメラ等で撮像した画像、記録媒体に記録されている画像データ等を読み込んで、画像の編集、合成、出力等を行う画像出力装置がある。（例えば、特許文献１参照）
また、ＣＲＴ（Cathode
Ray Tube）表示画面上のタッチパネルを介して、画像データの入力、出力等の操作を行う画像出力装置がある。（例えば、特許文献２参照）
【０００３】
これらの画像出力装置は、利用者が自由に操作して所望の写真画像を即時プリントアウトし、持ち帰ることができる手軽さを提供する。
例えば、利用者は、デジタルカメラで撮影し、画像データを保存した記録メディアを持参して画像出力装置にデータを読み取らせ、必要に応じて画像出力装置に備えられている簡単な編集操作を行った上で、出力サイズ、出力枚数を指定して、高精度なカラープリントを出力することができる。
【０００４】
利用者は、タッチパネル等を介してＣＲＴ画面上にメニュー表示される選択ボタン等の操作項目の中から選択あるいは入力を行うことにより、画像出力装置を操作する。
【０００５】
【特許文献１】特開２００２−４６３２４号公報
【特許文献２】特開平１０−３４１３０３号公報
【発明の開示】
【発明が解決しようとする課題】
【０００６】
しかしながら、印刷処理には、プリンタ装置に関する処理、画像データのロード処理、画像データの転送処理等の種々の処理を必要とするため、相当の処理時間がかかるという問題点があった。特に、即時プリントの場合は、印刷処理自体の処理時間がそのまま待ち時間に影響する。
更に、例えば、写真プリントで使用する標準紙とシールプリントで使用するシール紙等、複数の種類の用紙に同一画像データを印刷しようとする場合、一方の用紙への印刷のためのプリント装置に関する処理、画像データのロード処理、画像データの転送処理、印刷処理が全て終了した後で、もう一方の用紙への印刷のためのプリント装置に関する処理、画像データのロード処理、画像データの転送処理、印刷処理を行うため、長い時間待たなければならないという問題があった。
【０００７】
本発明は、このような問題に鑑みてなされたもので、その目的とするところは、複数種類の用紙への同一画像データの印刷処理時間を短縮することを可能とする画像出力装置等を提供することにある。
【課題を解決するための手段】
【０００８】
前述した目的を達成するために本発明は、画像データを入力する入力手段と、前記画像データを印刷出力する出力手段と、を具備し、前記出力手段は、前記画像データの複数種類の用紙への印刷出力を行うことを特徴とする画像出力装置である。
【０００９】
画像出力装置は、記録媒体からの読み取り、原稿の走査、あるいは被写体の撮像により取得した画像データを標準紙、シール紙等、複数種類の用紙に印刷出力する場合、標準紙搭載プリンタとシール紙搭載プリンタ等に同時に画像信号を送信することにより、当該複数印刷出力処理を並行に行う。
画像出力装置は、取得した画像データ、予め保持する画像データのうち少なくともいずれかを用いて画像を加工し、新しい別の画像データを作成する。
【００１０】
本発明では、同一画像データの複数種類の用紙への印刷出力処理を並行して行うことにより、画像出力装置の処理効率を向上させることができる。
【発明の効果】
【００１１】
本発明によれば、複数種類の用紙への同一画像データの印刷処理時間を短縮することを可能とする画像出力装置等を提供することができる。
【発明を実施するための最良の形態】
【００１２】
以下、添付図面を参照しながら、本発明に係る画像出力装置等の好適な実施形態について詳細に説明する。
【００１３】
最初に、図１を参照しながら、本発明の実施の形態に係る画像プリントシステム１００の構成について説明する。
図１は、画像プリントシステム１００の構成を示すブロック図である。
【００１４】
画像プリントシステム１００は、画像出力装置１０１等により実現される。
画像出力装置１０１は、画像データ読込書込手段１１１、画像編集合成手段１１２、素材データベース１１３、プリント手段１１４、注文内容入力手段１１５、課金手段１１６等を備える。
【００１５】
画像データ読込書込手段１１１は、被写体１２１をデジタルカメラ等の撮像装置により撮像したり、原稿１２２をスキャナ装置等の原稿読取装置により読み取ったり、予め画像データが記録された入力メディア１２３から読み取ることにより、画像データを取得する。また、画像データ読込書込手段１１１は、画像出力装置１０１が作成した画像データを入力メディア１２３に記録することもできる。
入力メディア１２３は、例えば、スマートメディア、コンパクトフラッシュ（登録商標）カード、フレキシブルディスク、ＰＣ（Personal Computer）カード、ＣＤ−ＲＯＭ（Compact Disc-Read Only Memory）等である。
【００１６】
画像編集合成手段１１２は、一つ以上の画像データに対して、落書き、スタンプのような加工、画像データの切り抜き、変倍、切り抜いた画像の他の画像への貼り付け等、合成編集等を対話的に行う対話型インタフェース手段と画像処理プログラムで構成される。加工や合成編集に扱う画像データとしては、素材データベース１１３に存在する素材画像データ、フレーム画像データ等を用いることもできる。
【００１７】
プリント手段１１４は、高解像度カラープリンタで、標準紙印刷用とシール紙印刷用等の複数のプリンタを設置する。プリンタは、昇華型あるいはインクジェット型などの方式は問わない。
【００１８】
注文内容入力手段１１５により、利用者は出力すべき注文内容を必要に応じて選択する。選択項目としては、モードの選択(実画像データの通常の出力を行うのか、シールプリントを行うのか、ＣＤ−Ｒ等の記録メディアへの書き込みを行うのか、等の指定)、さらに、実画像データの通常の出力等の場合には、複数コマ分の画像データを入力した場合、どの画像をプリントするかの指定、プリント枚数やプリントサイズの指定等がある。尚、利用者は、画像を出力する前に、一つ以上の画像データを指定して加工及び合成編集することができる。
【００１９】
注文内容入力手段１１５としては、例えば、ＣＲＴあるいはＬＣＤ（Liquid Crystal Display）等の表示手段と一体化されたタッチパネルや、キーボード、マウスやトラックボールのような各種ポインタを用いることができる。
【００２０】
次に、図２を参照しながら、画像出力装置１０１の外観構成について説明する。
図２は、画像出力装置１０１の外観斜視図である。
【００２１】
画像出力装置１０１の上段部正面には、タッチパネル付きモニタ画面２０１が配置されている。モニタ画面２０１は、操作案内や、操作の状況、読み取った画像あるいは編集加工した画像等を表示する表示手段として機能する。
【００２２】
モニタ画面２０１の画面の横には、メディア挿入口２０２が設置される。上段部と下段部を分けている水平部には、原稿の画像を読み取ってデジタルデータ化するスキャナ面２０３が設置されるまた、モニタ画面２０１の画面の上には、デジタルカメラ等の撮像装置により被写体を撮像するためのレンズ窓２０４が設置される。これらのメディア挿入口２０２、スキャナ面２０３、レンズ窓２０４は、画像データ読込書込手段１１１の一部を構成する。
【００２３】
メディア挿入口２０２は、スマートメディア、コンパクトフラッシュ（登録商標）カード、フレキシブルディスク、ＰＣカード、ＣＤ−ＲＯＭ、ＣＤ−Ｒ等の各種メディアの挿入口であり、スマートメディア挿入口、コンパクトフラッシュ（登録商標）投入口、フレキシブルディスク挿入口、ＰＣカード挿入口、ＣＤ−ＲＯＭ及びＣＤ−Ｒ挿入口等がひとまとめの位置に配置されている。
【００２４】
また、画像出力装置１０１の筐体内には、上記各種メディアの挿入口に対応して、それぞれの読取書込装置の本体が設置されている。各挿入口には、シャッタ（図示しない）を備えてもよい。この場合、シャッタの開閉を制御することにより、処理中に各種メディアを取り出せないようにしたり、手数料の徴収が完了するまで各種メディアを取り出せないようにすることができる。
【００２５】
画像出力装置１０１の下段部には、料金投入口である硬貨投入口２０５及び紙幣挿入口２０６、返却レバー２０７、返却口２０８、レシート取出口２０９、プリント物取出口２１０、スピーカ２１１、メンテナンスキー２１２、ドア開閉キー２１３等がそれぞれ配置されている。
【００２６】
料金投入口である硬貨投入口２０５及び紙幣挿入口２０６、返却レバー２０７、返却口２０８、レシート取出口２０９は、課金手段１１６の一部を構成する。
顧客は、硬貨投入口２０５に硬貨を投入したり、紙幣挿入口２０６に紙幣を挿入することにより料金を支払う。釣銭がある場合には返却口２０８から放出されるので、それを受け取る。また、硬貨が詰まった時には硬貨返却レバー２０７を回すことにより返却口２０８から放出されるので、それを受け取る。
料金を徴収した後、レシート取出口２０９から徴収した金額や注文内容が印刷されたレシートが放出される。
【００２７】
プリント物取出口２１０は、プリント手段１１４の一部を構成する。利用者は、タッチパネルボタンに触れるなどしてプリント実行を指示した後、プリント物取出口２１０から放出されるプリント物を受け取る。
スピーカ２１１は、待機中や操作中に音声、ＢＧＭ、効果音などを再生する。
【００２８】
メンテナンスキー２１２は、ユーザを受け付けることができる通常の運転モードと、管理者が画像プリントシステムの設定やメンテナンスを行う管理モードを切り換えるキーである。
【００２９】
また、外見からは明確に認識できないが、ポスト型画像出力装置１０１の筐体内には、画像出力装置１０１の各構成部分を制御するための制御部を含むパソコンや、電圧の変換を行う電源ボックス、停電時に制御部のＣＰＵやハードディスク等の破損を防ぐ無停電電源装置等が設置される。
【００３０】
次に、図３を参照しながら、画像出力装置１０１の概略構成について説明する。
図３は、画像出力装置１０１のハードウエア構成である。
【００３１】
画像出力装置１０１は、制御部３０１、ハードディスク３０２、入出力部３０３、デジタルカメラ３０５、スキャナ３０６、各種メディア読取書込み部３０７、シャッタ３０８、モニタ３０９、コインメック３１０、ビルバリ３１１、レシートジャーナル処理部３１２、プリンタ３１３等が、バス３１４を介して接続される。
【００３２】
制御部３０１は、プログラムの実行を行うＣＰＵ（Central Processing Unit）と、プログラム命令あるいはデータ等を格納するためのＲＯＭ（Read Only Memory）、ＲＡＭ（Radom Access Memory）等のメモリから構成される。制御部３０１は、画像出力装置１０１全体を制御する。
【００３３】
ハードディスク３０２には、各構成部分を駆動制御するためのプログラム、例えば、各記録メディアに対応する読込書込プログラム、シャッタの開閉プログラム、課金プログラム等の他に、画像編集合成手段１１２の一部として入力または選択された画像を編集するための画像編集プログラム、間引きデータを作ってインデックスデータを作成する画像処理プログラム、注文内容入力手段１１５の一部として対話型メニューをモニタ３０９に表示し、プリント手段１１４に対してプリント条件を設定して、プリント開始を指示するプログラム、及び画像の合成に用いるフレーム、背景画像、ぬりえ用の線画イラスト画像等の画像データを記憶した素材データベース１１３が格納されている。
【００３４】
これらの各プログラムコードは、制御部３０１により必要に応じて読み出されてＲＡＭに移され、ＣＰＵにより読み出されて各種手段として実行される。
【００３５】
入出力部３０３はＣＤ−ＲＯＭ／ＣＤ−Ｒドライブ装置、キーボード、マウス等で、制御部３０１のＲＯＭやハードディスク３０２に記憶されているプログラムや情報をバージョンアップ、あるいは、画像プリントシステムの動作設定、機器設定等の設定を行う際に用いられる。
メンテナンスキーにより本体部を管理モードに切り替えて、入出力部３０３にバージョンアップ用のＣＤ−ＲＯＭを挿入し、データの書き換えを行ったり、設定データを入力して設定を行う。
【００３６】
デジタルカメラ３０５、スキャナ３０６、各種メディア読取書込部３０７（１〜ｎ）は、画像データ読込書込み手段１１１に相当する。
シャッタ３０８は、入力メディア挿入口に設けられ、入力メディア挿入口を開閉し、読取処理中に入力メディアを取り出せないようにしたり、課金処理が完了するまで入力メディアを取り出せないようにすることができる。
【００３７】
モニタ３０９に表示された操作案内に従って、モニタ３０９に表示されたタッチパネルボタンを選択し触れることにより、プリントモードの選択及びオリジナル画像データの読み込みから、加工、合成編集、プリント物の出力までの一連の操作を行うことができる。
【００３８】
コインメック３１０、ビルバリ３１１、レシートジャーナル処理部３１２は、課金手段１１６に相当し、硬貨投入、紙幣挿入を受け付けたり、レシートの発行を行う。
プリンタ３１３は、プリント手段１１４に相当し、画像のプリント処理を行うもので、用紙サイズあるいは用紙種類に応じて複数のプリンタが設置される。
【００３９】
次に、図４、５、６、７、８、９、１０、１１、１２を参照しながら、画像出力装置１０１の動作について説明する。
図４は、画像出力装置１０１の動作を示すフローチャート、図５は、画像出力装置１０１のメインメニュー画面５００を示す図、図６は、入力メディアの選択における画像出力装置１０１の動作を示すフローチャート、図７は、入力メディア選択時における画像出力装置１０１を示す図、図８は、入力メディア確認時における画像出力装置１０１を示す図、図９は、プリントする画像選択時に画像出力装置１０１が表示する画面９００を示す図、図１０、１１、１２は標準紙及びシール紙への同時プリントのレイアウトの一例を示す図である。
【００４０】
図５に示すように、画像出力装置１０１の制御部３０１は、モニタ画面２０１にメインメニュー画面５００を表示する（ステップ４０１）。
【００４１】
メインメニュー画面５００には、サービスメニューに対応するボタンである項目５０１が表示される。各項目５０１には、入力メディアに保存した画像データを写真としてプリントする「デジカメプリント」、シール紙にプリントする「シールプリント」、デジカメプリントとシールプリントを同時に行う「デジカメプリント＋シールプリント」等が表示される。
利用者は、モニタ画面２０１上のタッチパネルを介して項目５０１を選択することにより、サービスメニューの選択を行う。
【００４２】
利用者が「デジカメプリント＋シールプリント」メニューを選択すると、画像出力装置１０１の制御部３０１は、入力メディア選択画面を表示する（ステップ４０２）。
【００４３】
図６に示すように、入力メディア１２３の選択時における画像出力装置１０１の動作では、画像出力装置１０１の制御部３０１は、図７に示す入力メディア選択画面７００をモニタ画面２０１上に表示する（ステップ６０１）。
【００４４】
入力メディア選択画面７００には、各種入力メディアに対応するボタンである項目７０１が表示される。各項目７０１には、入力メディアの外観等の画像７０２（実物大画像、拡大画像、縮小画像）、挿入口の番号７０３等が表示される。
利用者は、モニタ画面２０１上のタッチパネルを介して項目７０１を選択することにより、入力メディアの選択を行う。
【００４５】
画像出力装置１０１は、入力メディアが選択されると、選択された項目を強調して表示する（ステップ６０２）。
強調表示は種々の態様を取り得るが、画像出力装置１０１は、例えば、選択された項目の輝度を高くしたり、選択された項目のみを表示するようにしてもよい。
【００４６】
尚、利用者は、項目７０１に表示されるメディアの外観画像７０２と持参の入力メディア等とを比較して、選択すべき項目を判断したり、選択した項目を確認することができる。
また、項目と共に表示される入力メディアの外観画像については、画像出力装置１０１は、利用者の要求により、随時、実物大画像、拡大画像、縮小画像等を挿入口の番号と共に表示するようにしてもよい（ステップ６０５）。
【００４７】
図８に示すように、画像出力装置１０１の制御部３０１は、選択された項目に対応する挿入口８０２近傍の番号灯８０１を点灯、点滅させる（ステップ６０３）。
また、図７及び図８に示すように、メディア挿入口２０２において、各入力メディア毎に開閉可能な開閉扉７０４が設けられている場合、画像出力装置１０１の制御部３０１は、選択された入力メディアの挿入口の開閉扉を開いた上で（ステップ６０４）、番号灯８０１を点灯、点滅させる。
【００４８】
尚、画像出力装置１０１は、表示画面の挿入口の番号を表示し、利用者はこの番号表示に基づいてメディアの挿入等を行う。従って、挿入口近傍に番号表記が設けられていれば、上記ステップ６０３、ステップ６０４の処理において必ずしも番号等を点灯等させる必要はない。
また、開閉扉７０４は、画像出力装置側で自動的に開閉制御され、手動では開閉不可能なものとすることが望ましい。
【００４９】
以上の過程を経て、画像出力装置１０１の制御部３０１は、メディア選択画面表示、メディア装着ガイダンス表示、メディア確認画面等を表示し、音声案内、動画案内等と共に、利用者にメディアの選択、メディアの装着を促す。
【００５０】
上記のように、画像出力装置１０１は、メディア毎に挿入口に付される番号、メディアの外観画像等を対応つけて表示するので、メディアの知識がない利用者であっても、実物大イメージと形状等を比較することにより、挿入番号を確認することができる。
【００５１】
また、メディアが選択、指定されると、当該メディアの挿入口の番号を表示したり、挿入口の番号灯を点灯させたり、当該メディアの挿入口のみを使用可能とする（例えば、当該メディアの挿入口の開閉扉のみを開ける）ので、画像出力装置１０１は、利用者を目的のメディアの挿入口へ正確に誘導することができる。
従って、利用者の誤動作を防止すると共に、操作性を向上することができる。
また、当該メディア部のみ使用可能となるので、メディア部への防塵、防埃、いたずら防止ができ、図２等に示す画像出力装置の耐障害性及び保守性を向上できる。
【００５２】
尚、図８に示すように、画像出力装置１０１は、番号灯８０１を点灯、点滅させたり、開閉扉７０４を開く際、入力メディア確認画面８００を表示するようにしてもよい。この場合、画像出力装置１０１は、選択された入力メディアについて、挿入口の番号、入力メディアの外観等の画像（実物大画像、拡大画像、縮小画像等）を表示し、利用者は、再度、入力メディアの確認を行うことができる。
【００５３】
また、画面上に表示する画像は、静止画、動画を問わない。
また、画像出力装置１０１は、画面表示によるガイダンスの他、音声によるガイダンスを行うようにしてもよい。
【００５４】
また、上記の技術は、画面出力装置以外にも適用可能であり、例えば、複数種類のメディアのデータの読み込みが可能であり、表示画面を有する装置、機器等であれば、画像データの出力機能を具備せずとも、上記の技術を適用可能である。
【００５５】
利用者が挿入口に入力メディア１２３を挿入した後、画像出力装置１０１の制御部３０１は、入力メディア１２３から画像データを読み込み、図９に示すように、モニタ画面２０１上にプリント画像データ選択画面９００を表示する（ステップ４０３）。
【００５６】
プリント画像データ選択画面９００には、入力メディア１２３から読み込まれた画像データに対応するボタンと、プリントする画像データの枚数を設定するための項目群９０１が表示される。
【００５７】
プリントする画像データと枚数の選択後、画像出力装置１０１の制御部３０１は、モニタ画面２０１上にデジカメプリントを行う標準紙の用紙サイズ及びレイアウト、シールプリントを行うシール紙のレイアウトの選択画面を表示する（ステップ４０４）。
【００５８】
例えば、画像データＡを標準紙１面に１枚、シール紙８面を１枚プリントするというレイアウトを選択すると、図１０に示すように、画像データＡをプリントした標準紙１０００が１枚、画像データＡを８面にプリントしたシール紙１００１が出力される。
【００５９】
また、画像データＡ、Ｂ、Ｃ、Ｄを標準紙１面に各１枚、シール紙８面を１枚プリントするというレイアウトを選択すると、図１１に示すように、画像データＡ、Ｂ、Ｃ、Ｄをプリントした標準紙１１００が各１枚、画像データＡ、Ｂ、Ｃ、Ｄを２面ずつプリントしたシール紙１１０１が出力される。
【００６０】
また、画像データＡ、Ｂ、Ｃ、Ｄを標準紙４面に１枚、シール紙８面を１枚プリントするというレイアウトを選択すると、図１２に示すように、画像データＡ、Ｂ、Ｃ、Ｄを１枚にプリントした標準紙１２００が１枚、画像データＡ、Ｂ、Ｃ、Ｄを２面ずつプリントしたシール紙１２０１が出力される。
【００６１】
画像出力装置１０１の制御部３０１は、利用者の出力形態、プリント枚数等の注文内容に応じて、課金処理、レシート発行処理を行う（ステップ４０５）。
【００６２】
画像出力装置１０１の制御部３０１は、色修正、リサイズ、トリミング、レイアウト、文字・ロゴ合成等の画像処理を行い（ステップ４０６）、画像処理した画像データをハードディスク装置に記録し（ステップ４０７）、標準紙用プリンタ装置及びシール紙用プリンタ装置に当該画像データを転送し、標準紙及びシール紙への印刷出力処理を同時に行う（ステップ４０８）。
画像プリントシステム１００の稼動を続ける場合（ステップ４０９）、画像出力装置１０１はの制御部３０１は、ステップ４０１〜ステップ４０８までの処理を繰り返す。
【００６３】
以上、添付図面を参照しながら本発明に係る画像出力装置の好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【００６４】
例えば、前述した実施形態では、プリンタ装置は標準紙及びシール紙用の２台を使用するとしたが、異なる用紙サイズの用紙に印刷する２台以上のプリンタ装置を使用してもよい。
【図面の簡単な説明】
【００６５】
【図１】画像プリントシステム１００の構成を示すブロック図
【図２】画像出力装置１０１の外観斜視図
【図３】画像出力装置１０１のハードウエア構成
【図４】画像出力装置１０１の動作を示すフローチャート
【図５】画像出力装置１０１のメインメニュー画面５００を示す図
【図６】入力メディアの選択における画像出力装置１０１の動作を示すフローチャート
【図７】入力メディア選択時における画像出力装置１０１を示す図
【図８】入力メディア確認時における画像出力装置１０１を示す図
【図９】プリントする画像選択時に画像出力装置１０１が表示する画面９００を示す図
【図１０】標準紙及びシール紙への同時プリントのレイアウトの一例を示す図
【図１１】標準紙及びシール紙への同時プリントのレイアウトの一例を示す図
【図１２】標準紙及びシール紙への同時プリントのレイアウトの一例を示す図
【符号の説明】
【００６６】
１００………画像プリントシステム
１０１………画像出力装置
１１１………画像データ読込書込み手段
１１２………画像編集合成手段
１１３………素材データベース
１１４………プリント手段
１１５………注文内容入力手段
１１６………課金手段
１２１………被写体
１２２………原稿
１２３………入力メディア
１２４………プリント物
２０１………モニタ画面
２０２………メディア挿入口
２０３………スキャナ面
２０４………レンズ窓
２０５………硬貨投入口
２０６………紙幣挿入口
２０７………返却レバー
２０８………返却口
２０９………レシート取出口
２１０………プリント物取出口
２１１………スピーカ
２１２………メンテナンスキー
２１３………ドア開閉キー
【図１】
2005186314.tif 000003
【図２】
2005186314.tif 000004
【図３】
2005186314.tif 000005
【図４】
2005186314.tif 000006
【図５】
2005186314.tif 000007
【図６】
2005186314.tif 000008
【図７】
2005186314.tif 000009
【図８】
2005186314.tif 000010
【図９】
2005186314.tif 000011
【図１０】
2005186314.tif 000012
【図１１】
2005186314.tif 000013
【図１２】
2005186314.tif 000014